(57)【要約】本発明は、筋肉及び関節の疼痛緩和のための可変型低周波機器に関するもので、それぞれの接触パッドを回転させて低周波発生器に対する姿勢を変更することにより、関節や屈曲した人体部位にも容易に付着させて使用することができ、特に、対をなして設けられる複数の接触パッドが連結用シート部材を介して互いに連結されており、接触パッドを回転させて姿勢を変更するか或いは接触パッドを人体に付着させて使用する間に、接触パッドが低周波発生器から容易に分離されない。【選択図】図５
2021517495.tif 000002
【特許請求の範囲】
【請求項１】
低周波電流を発生させ、発生した低周波電流を放出するために下面に複数の第１結合端子部が設けられる低周波発生器と；
前記第１結合端子部と着脱可能に結合されて前記第１結合端子部と電気的に連結されるための複数の第２結合端子部が設けられ、前記低周波発生器の下面に着脱可能に結合されるシート状の連結用シート部材と；
一側が前記連結用シート部材に対して回転可能に結合されて前記低周波発生器に対して姿勢変更が可能であり、前記低周波発生器から発生した低周波電流の伝達を前記第１結合端子部及び前記第２結合端子部を介して受け、これを人体に伝達するための複数の接触パッドと；を含んでなり、
前記連結用シート部材は、前記低周波発生器に対して姿勢が固定され、前記接触パッドは、前記第２結合端子部を回転中心として回転することができるように前記第２結合端子部に結合されて前記低周波発生器に対して姿勢変更が可能であり；
前記連結用シート部材に複数の第１通孔が形成され；
前記接触パッドには一対の第１スリットが形成され；
前記第２結合端子部は、前記第１結合端子部と結合されるために上方に突出した挿入突起が形成された端子ボディ、及び前記端子ボディの下面から下方に突出形成されて前記連結用シート部材の第１通孔を貫通する軸突起を含む脱着用端子台と、前記連結用シート部材の下側で前記軸突起に結合される第１ワッシャーと、前記第１ワッシャーの下側で前記軸突起に結合される結合用中央ボディ、及び前記結合用中央ボディの端部から折り曲げられて下方に延長形成されて前記接触パッドの一対の第１スリットを貫通するように設けられる一対の結合翼を含む接触パッド結合片と、前記接触パッドの下部で前記結合翼に結合される第２ワッシャーと、を含んでなることを特徴とする、筋肉及び関節の疼痛緩和のための可変型低周波機器。
【発明の詳細な説明】
【技術分野】
【０００１】
本発明は、筋肉及び関節の疼痛緩和のための低周波機器に係り、より詳細には、伝導性接触パッドを皮膚に接触させ、人体に微細な低周波電流を流して筋肉または関節の疼痛などを緩和する可変型低周波機器に関する。
【背景技術】
【０００２】
最近、一般人の健康への関心が日増しに増大しており、それに伴い、健康増進のための各種機器が多様に開発されて一般人に広く普及している。
【０００３】
低周波機器は、低周波発生器から発生した低周波電流を、皮膚に接触している伝導性接触パッドに流して筋肉、腱、靭帯などを刺激することにより、治療効果を得る医療機器である。
【０００４】
最近では、低周波機器を用いた筋肉刺激が重量運動と同じ効果をもたらすことに着目し、筋肉を直接刺激するための運動機器としても低周波機器が活用されている。
【０００５】
上述したような低周波機器に関する従来技術として、韓国登録実用新案第２０−０３９２５６５号の「低周波治療器」（２００５年８月３日登録）、韓国公開特許第１０−２０１４−０１１４１９０号の「深部筋肉刺激用電気治療刺激器」（２０１４年９月２４日公開）、韓国公開特許第１０−２０１５−０１０５０６２号の「低周波パッドを活用したダイエット及び治療ベルト」（２０１５年９月１６日公開）などが提案されている。
【０００６】
低周波機器は、対をなして皮膚に接触するように設けられる複数の伝導性接触パッドと、伝導性接触パッドを介して微細な低周波電流を流すための低周波発生器と、を含んでなる。
【０００７】
図１は従来技術に係る低周波機器の概念図である。
【０００８】
図１の低周波機器の場合、医療用として広く用いられる形態であって、対をなす伝導性接触パッド３を身体部位に自由に付着させることができるよう、低周波発生器１から延びる二本の電線２にそれぞれの伝導性接触パッド３が結合されている。
【０００９】
このような形態の低周波機器は、病院や家庭で最も広く使用されており、伝導性接触パッド３が二本の電線２に自由に連結されているので、これを使用するには、ユーザーがベッドや椅子にじっと横たわっていなければならない。
【００１０】
これを着用した状態で身体活動を行うためには、バンドやベルトなどを用いて伝導性接触パッド３を身体に固定しなければならず、電線２で連結された低周波発生器１を手に持っているか、或いはポケットなどに収納しなければならない。
【００１１】
図２は従来技術に係る別の低周波機器の概念図であり、図３は図２の低周波機器の概念断面図である。
【００１２】
図２の低周波機器は、筋肉を刺激して運動効果を得るための低周波運動機器の形態であって、低周波電流を発生させる低周波発生器４の大きさが小型であり、伝導性接触パッド５と一体化されており、着用した状態で身体活動が可能である。
【００１３】
このようなコンパクト型低周波機器は、固定された筋肉形態に合わせて製作されるので、腹筋や大腿部筋肉などのように特定の部位の専用として使用されるのが一般的である。また、疼痛緩和や治療よりは、主に筋肉刺激による運動効果を得るために使用される。
【００１４】
つまり、汎用的に使用することが難しく、関節のように身体が折れたり突出したりする部位には使用できないという問題がある。
【００１５】
さらに、このようなコンパクト型低周波機器は、伝導性接触パッド５が低周波発生器４に一体化されているので、伝導性接触パッド５の損傷時に部分的な交換及び修理が難しい。
【発明の概要】
【発明が解決しようとする課題】
【００１６】
本発明は、かかる従来技術の問題点を解決するためのもので、その目的は、接触パッドを個別に回動させて低周波発生器に対する姿勢を自由に変更することができるようにしながら、接触パッドの回動にも拘らず、連結用シート部材と低周波発生器との結合が堅固に維持されるようにする可変型低周波機器を提供することにある。
【課題を解決するための手段】
【００１７】
上記の目的を達成するために、本発明は、低周波電流を発生させ、発生した低周波電流を放出するために下面に複数の第１結合端子部が設けられる低周波発生器と；前記第１結合端子部と着脱可能に結合されて前記第１結合端子部と電気的に連結されるための複数の第２結合端子部が設けられ、前記低周波発生器の下面に着脱可能に結合されるシート状の連結用シート部材と；一側が前記連結用シート部材に対して回転可能に結合されて前記低周波発生器に対して姿勢変更が可能であり、前記低周波発生器から発生した低周波電流の伝達を前記第１結合端子部及び前記第２結合端子部を介して受け、これを人体に伝達するための複数の接触パッドと；を含んでなり、前記連結用シート部材は、前記低周波発生器に対して姿勢が固定され、前記接触パッドは、前記第２結合端子部を回転中心として回転することができるように前記第２結合端子部に結合されて前記低周波発生器に対して姿勢変更が可能であり；前記連結用シート部材に複数の第１通孔が形成され；前記接触パッドには一対の第１スリットが形成され；前記第２結合端子部は、前記第１結合端子部と結合されるために上方に突出した挿入突起が形成された端子ボディ、及び前記端子ボディの下面から下方に突出形成されて前記連結用シート部材の第１通孔を貫通する軸突起を含む脱着用端子台と、前記連結用シート部材の下側で前記軸突起に結合される第１ワッシャーと、前記第１ワッシャーの下側で前記軸突起に結合される結合用中央ボディ、及び前記結合用中央ボディの端部から折り曲げられて下方に延長形成されて前記接触パッドの一対の第１スリットを貫通するように設けられる一対の結合翼を含む接触パッド結合片と、前記接触パッドの下側で前記結合翼に結合される第２ワッシャーと、を含んでなることを特徴とする。
【発明の効果】
【００１８】
上述したように、本発明に係る可変型低周波機器は、それぞれの接触パッドを回転させて低周波発生器に対する姿勢を変更することにより、関節や屈曲した人体部位にも容易に付着させて使用することができる。
【００１９】
特に、対をなして設けられる複数の接触パッドが連結用シート部材を介して互いに連結されており、接触パッドを回転させて姿勢を変更するか或いは接触パッドを人体に付着させて使用する間に、接触パッドが低周波発生器から容易に分離されない。
【図面の簡単な説明】
【００２０】
【図１】従来技術に係る低周波機器の概念図である。
【図２】従来技術に係る別の低周波機器の概念図である。
【図３】図２の低周波機器の概念断面図である。
【図４】本発明の一実施形態に係る可変型低周波機器の斜視図である。
【図５】図４の可変型低周波機器の低周波発生器と伝導性パッド部を分離した斜視図である。
【図６】図５の可変型低周波機器の分離斜視図を別の方向から示す図である。
【図７】図４の可変型低周波機器の分離斜視図である。
【図８】図４の可変型低周波機器の断面図及び要部拡大図である。
【図９】図８の可変型低周波機器の分離断面図である。
【図１０】図４の可変型低周波機器の姿勢を変更した状態を示す図である。
【発明を実施するための形態】
【００２１】
以下、添付図面を参照して、本発明の属する技術分野における通常の知識を有する者が容易に実施し得るように本発明の実施形態を詳細に説明する。しかし、本発明は、様々な異なる形態で実現でき、ここで説明する実施形態に限定されない。そして、図面において、本発明を明確に説明するために、説明と関係のない部分は省略した。明細書全体にわたって、類似の部分については類似の符号を付した。明細書全体にわたって、ある部分がある構成要素を「含む」とするとき、これは、特に反対される記載がない限り、他の構成要素を除外するのではなく、他の構成要素をさらに含むことができることを意味する。
【００２２】
図４は本発明の一実施形態に係る可変型低周波機器の斜視図、図５は図４の可変型低周波機器の低周波発生器と伝導性パッド部を分離した斜視図、図６は図５の可変型低周波機器の分離斜視図を別の方向から示す図、図７は図４の可変型低周波機器の分離斜視図、図８は図４の可変型低周波機器の断面図及び要部拡大図、図９は図８の可変型低周波機器の分離断面図、図１０は図４の可変型低周波機器の姿勢を変更した状態を示す図である。
【００２３】
本発明の一実施形態に係る可変型低周波機器は、低周波電流を発生させるための低周波発生器１００と、低周波発生器１００に結合された状態で皮膚に付着して低周波電流を人体に伝達する伝導性パッド部２００と、を含んでなる。
【００２４】
低周波発生器１００は、低周波電流を発生させる装置であって、上面にオン／オフ及び低周波電流の強さを調節するための操作ボタン（図示せず）、及び低周波電流の強さを表示するためのインジケーター（図示せず）が設けられている。
【００２５】
本実施形態の低周波発生器１００は、内部にバッテリーが一体に設けられ、充電器を用いて簡便に充電することができる。
【００２６】
低周波発生器１００の下面には、低周波発生器１００から発生した低周波電流を放出するための第１結合端子部１１０が設けられる。第１結合端子部１１０は、対をなして離隔して配置される。本実施形態では、２つの第１結合端子部１１０が一対をなして設けられる。実施形態によっては、４つまたは６つの第１結合端子部１１０が設けられてもよい。
【００２７】
第１結合端子部１１０は、伝導性パッド部２００の第２結合端子部２２０が着脱可能に結合されるためのものであって、その着脱可能に結合される構造は、実施形態に応じて選択できる。一例として、第１結合端子部１１０と第２結合端子部２２０は、雌雄スナップボタンからなる構造であり得る。
【００２８】
本実施形態の第１結合端子部１１０と第２結合端子部２２０は、磁力によって着脱可能に結合が行われる。磁力結合方式を利用すれば、第１結合端子部１１０と第２結合端子部２２０の位置を肉眼で直接確認しなくても、低周波発生器１００と伝導性パッド部２００と、を容易に結合することができる。
【００２９】
図６から確認することができるように、第１結合端子部１１０は、第２結合端子部２２０と磁力結合されるためのリング状の第１磁力結合平面１１０ａと、その中央から上部に陥没した円形の挿入溝１１０ｂと、を含んでなる。
【００３０】
第１結合端子部１１０の具体的な構造は、図７に示されている。図面から確認することができるように、本実施形態の第１結合端子部１１０は、端子ハウジング１１１、磁石１１２及びハウジングカバー１１３で構成される。
【００３１】
端子ハウジング１１１は、上部が開放された筒形状であって、端子ハウジング１１１の中央には、挿入溝１１０ｂを形成するための挿入溝用通孔１１１ａが形成される。
【００３２】
第１磁力結合平面１１０ａは、端子ハウジング１１１の下面に形成される。
【００３３】
端子ハウジング１１１の内部には、磁石１１２を収容するための磁石収容部１１１ｂが形成される。
【００３４】
また、端子ハウジング１１１の上部縁には、ハウジングカバー１１３を固定するための複数のツメ１１１ｃが形成されている。
【００３５】
磁石１１２は、端子ハウジング１１１の磁石収容部１１１ｂに挿入されて第２結合端子部２２０が第１結合端子部１１０に磁力結合されるようにする。
【００３６】
磁石１１２は、端子ハウジング１１１の磁石収容部１１１ｂに挿入された状態で挿入溝用通孔１１１ａと一緒に挿入溝１１０ｂを形成することができるようにドーナツ状に形成される。挿入溝用通孔１１１ａと磁石１１２によって形成される第１結合端子部１１０の挿入溝１１０ｂは、図９から具体的に確認することができる。
【００３７】
ハウジングカバー１１３は、端子ハウジング１１１に挿入された磁石１１２が端子ハウジング１１１を離脱しないように端子ハウジング１１１に結合されるものであって、磁石収容部１１１ｂに挿入された磁石を覆うように磁石収容部１１１ｂに磁石１１２と一緒に挿入され、端子ハウジング１１１のツメ１１１ｃを内方に折り曲げることにより、ハウジングカバー１１３が固定される。
【００３８】
一方、端子ハウジング１１１は、電流の流れうる金属からなる。
【００３９】
次に、低周波発生器１００に磁力によって結合される伝導性パッド部２００について説明する。
【００４０】
伝導性パッド部２００は、複数の第２結合端子部２２０が設けられた連結用シート部材２１０と、連結用シート部材２１０に回転可能に結合され、低周波電流を人体に伝達する複数の接触パッド２３０と、を含んでなる。
【００４１】
本実施形態の連結用シート部材２１０は、低周波発生器１００に設けられる複数の第１結合端子部１１０を全て覆うハート模様のシート状である。
【００４２】
連結用シート部材２１０には、第１結合端子部１１０と着脱可能に結合され、第１結合端子部１１０と電気的に連結される複数の第２結合端子部２２０が設けられる。
【００４３】
このような複数の第２結合端子部２２０が第１結合端子部１１０に結合されながら、連結用シート部材２１０は、低周波発生器１００の下面に着脱可能に結合される。
【００４４】
連結用シート部材２１０には、第２結合端子部２２０を回転可能に結合するための一対の第１通孔２１１が第１結合端子部１１０に対応する位置に形成されている。第１通孔２１１は、後述する脱着用端子台２２１の軸突起２２１ｄが貫通するためのものである。
【００４５】
連結用シート部材２１０には、一対の第２結合端子部２２０が回転可能に結合される。第２結合端子部２２０は、第１結合端子部１１０に対応する位置に形成された第１通孔２１１に結合されるので、第２結合端子部２２０を介して低周波発生器１００に結合される連結用シート部材２１０は、低周波発生器１００に対してその姿勢が固定される。
【００４６】
第２結合端子部２２０の下端部には、低周波発生器１００から発生した低周波電流を人体に伝達するための接触パッド２３０がそれぞれ結合される。一側が第２結合端子部２２０にそれぞれ結合される複数の接触パッド２３０は、第２結合端子部２２０と一緒に連結用シート部材２１０に対して回転可能である。よって、複数の接触パッド２３０は、連結用シート部材２１０及び低周波発生器１００に対して姿勢変更が可能となる。
【００４７】
接触パッド２３０は、低周波発生器１００から発生した低周波電流の伝達を第１結合端子部１１０及び第２結合端子部２２０を介して受け、これを人体に伝達する。
【００４８】
図７から確認することができるように、本実施形態の第２結合端子部２２０は、脱着用端子台２２１、接触パッド結合片２２２、及び第１、第２ワッシャー２２３、２２４を含んでなる。
【００４９】
脱着用端子台２２１は、端子ボディ２２１ｃと軸突起２２１ｄからなり、磁化及び通電可能な金属で製作される。
【００５０】
端子ボディ２２１ｃの上側には、第１結合端子部１１０の第１磁力結合平面１１０ａに磁力によって結合され、第１磁力結合平面１１０ａと面接触する第２磁力結合平面２２１ａと、第２磁力結合平面２２１ａから上方に突出して第１結合端子部１１０の挿入溝１１０ｂに挿入されるための円柱状の挿入突起２２１ｂが形成されている。
【００５１】
軸突起２２１ｄは、端子ボディ２２１ｃの下側から下方に突出して形成され、軸突起２２１ｄの端部には係止頭部２２１ｅが形成される（図７では図示せず）。係止頭部２２１ｅは、金属片を溶接または半田付けすることにより形成されることも可能であり、本実施形態では、軸突起２２１ｄの端部を圧着してリベットの頭部を形成する方式で係止頭部２２１ｅが形成される。
【００５２】
係止頭部２２１ｅは、軸突起２２１ｄに連結用シート部材２１０、第１ワッシャー２２３及び接触パッド結合片２２２を一体に結合するものである。第２結合端子部２２０の分離された状態が示されている図７では、係止頭部２２１ｅを確認することができず、第２結合端子部２２０の結合された状態が示されている図８では、係止頭部２２１ｅを確認することができる。
【００５３】
つまり、脱着用端子台２２１は、図７に示された形態に製作され、軸突起２２１ｄに連結用シート部材２１０、第１ワッシャー２２３及び接触パッド結合片２２２を順次嵌める状態で軸突起２２１ｄの下端部を圧着して係止頭部２２１ｅを形成することにより、図８に示すようにリベット結合が行われるようにする。
【００５４】
上述したような結合方法の他にも、軸突起２２１ｄに連結用シート部材２１０と第１ワッシャー２２３を順次嵌めた状態で接触パッド結合片２２２を軸突起２２１ｄに直接溶接することにより、結合が行われるようにすることもできる。すなわち、軸突起２２１ｄに接触パッド結合片２２２を結合する方法は、様々な方案が提示できる。
【００５５】
リベット接合方式で結合するための本実施形態の接触パッド結合片２２２は、第３通孔２２２ｂが形成され、水平方向に延びる結合用中央ボディ２２２ａと、結合用中央ボディ２２２ａの縁から折り曲げられて下方に延びる一対の結合翼２２２ｃと、を含んでなる。
【００５６】
第３通孔２２２ｂは、接触パッド結合片２２２の軸突起２２１ｄが貫通するためのものであり、一対の結合翼２２２ｃは、接触パッド２３０を接触パッド結合片２２２に結合するためのものである。
【００５７】
図７には一対の結合翼２２２ｃが下方に折り曲げられた「∩」字状の接触パッド結合片２２２が示されており、図８には接触パッド結合片２２２に接触パッド２３０と第２ワッシャー２２４が結合されるように結合翼２２２ｃの端部が水平方向に屈曲された状態が示されている。具体的な結合形態及び方法については後で再び説明する。
【００５８】
第１ワッシャー２２３は、円板形状であり、中央に軸突起２２１ｄが貫通するための第２通孔２２３ａが形成されている。第１ワッシャー２２３は、連結用シート部材２１０と接触パッド結合片２２２との間で軸突起２２１ｄが第２通孔２２３ａを貫通するように介在する。
【００５９】
第２ワッシャー２２４は、接触パッド結合片２２２に接触パッド２３０が結合されるときに一緒に結合されるものであって、第１ワッシャー２２３と同様に円板形状に製作される。第２ワッシャー２２４には、接触パッド結合片２２２の一対の結合翼２２２ｃが貫通するための一対の第２スリット２２４ａが形成されている。
【００６０】
一方、先立って説明していない第１スリット２３４は、接触パッド２３０に形成されるものであって、次に接触パッド２３０の具体的な構成と一緒に再び説明する。
【００６１】
本実施形態の接触パッド２３０は、一側の幅が狭く他側の幅が広い形状であり、一対が設けられる。それぞれの接触パッド２３０は、半分に分けられたハート模様であり、一対の接触パッド２３０を当接させると、図１０に示すようにハート模様となる。接触パッド２３０の形状は、実施形態に応じて多様に変更できる。
【００６２】
接触パッド２３０は、屈曲可能な柔軟な材質で製作されるパッドボディ２３１、パッドボディ２３１の下面に設けられる伝導性電極部２３２、及び伝導性電極部２３２の下面に設けられる伝導性粘着部２３３を含んでなる。
【００６３】
パッドボディ２３１は、人体の接触部位に対応する形状に屈曲できるように柔軟な素材で製作される。一例として、ゴム、シリコーンまたは生地素材で製作できる。
【００６４】
伝導性電極部２３２は、パッドボディ２３１の形状に対応するように広く広がった形状である。伝導性電極部２３２は、第２結合端子部２２０に接触して通電する。伝導性電極部２３２は、人体に低周波電流を均一に伝達することさえできればよいので、素材や形状については特に限定しない。
【００６５】
伝導性粘着部２３３は、伝導性電極部２３２の下面に設けられてユーザーの皮膚に粘着され、伝導性電極部２３２に伝達された低周波電流を人体へ伝達するためのものである。
【００６６】
本実施形態の伝導性粘着部２３３は、伝導性ハイドロゲルからなる。伝導性ハイドロゲルは、親水性高分子物質であって、生体組織と非常に似ている特性を有する。よって、伝導性粘着部２３３を介して接触パッド２３０を皮膚に接触させると、伝導性電極部２３２が皮膚に直接接触しているのと同じ効果を得る。
【００６７】
また、伝導性ハイドロゲルからなる伝導性粘着部２３３は、皮膚に完全に接着されるものではないので、容易に着脱可能であり、異物によって汚染されない限り、繰り返し使用可能である。
【００６８】
伝導性粘着部２３３の下面には剥離紙（図示せず）が付着する。剥離紙は、伝導性粘着部２３３の粘着面に異物がくっ付くのを防止するためのものであって、従来の低周波機器にも同様に使用されるものなので、別途図示しない。
【００６９】
接触パッド２３０は、第２結合端子部２２０を回転中心として回転することができるように、第２結合端子部２２０ないし連結用シート部材２１０に結合される。
【００７０】
接触パッド２３０の一側には、一対の結合翼２２２ｃが貫通するための一対の第１スリット２３４が形成される。一対の第１スリット２３４は、パッドボディ２３１と伝導性電極部２３２を貫通するように形成され、これにより、第１スリット２３４を貫通するように第１スリット２３４に挿入された結合翼２２２ｃが伝導性電極部２３２に接触する。
【００７１】
次いで、図７乃至図９を参照して、連結用シート部材２１０、第２結合端子部２２０及び接触パッド２３０の具体的な結合構造について説明する。
【００７２】
脱着用端子台２２１が連結用シート部材２１０の上側に位置し、第１ワッシャー２２３と接触パッド結合片２２２が連結用シート部材２１０の下側に順次位置するように配置する。
【００７３】
脱着用端子台２２１の軸突起２２１ｄが連結用シート部材２１０の第１通孔２１１を貫通して下方に突出するようにし、突出した軸突起２２１ｄが第１ワッシャー２２３の第２通孔２２３ａと接触パッド結合片２２２の第３通孔２２２ｂを順次通過するようにする。
【００７４】
その後、軸突起２２１ｄの端部を圧着して軸突起２２１ｄの端部に係止頭部２２１ｅが形成されるようにする。形成された係止頭部２２１ｅは、脱着用端子台２２１の軸突起２２１ｄから連結用シート部材２１０、第１ワッシャー２２３及び接触パッド結合片２２２が離脱しないようにする。
【００７５】
接触パッド結合片２２２には接触パッド２３０が結合される。一対の結合翼２２２ｃが、接触パッド２３０の一側に形成された一対の第１スリット２３４と第２ワッシャー２２４に形成された第２スリット２２４ａを貫通して下方に突出するようにし、下方に突出した結合翼２２２ｃを水平方向に折り曲げて接触パッド結合片２２２に接触パッド２３０と第２ワッシャー２２４が固定されるようにする。
【００７６】
接触パッド２３０と一緒に結合される第２ワッシャー２２４は、結合翼２２２ｃによって接触パッド２３０の第１スリット２３４が損傷することを防止し、接触パッド２３０の下面が結合翼２２２ｃによって支持される面積を増加させて接触パッド結合片２２２に接触パッド２３０が安定的に結合できるようにする。
【００７７】
接触パッド結合片２２２に接触パッド２３０と第２ワッシャー２２４が結合された後、仕上げテープ２２５を付着させることにより、結合された部位が外部に露出しないようにする。
【００７８】
複数の第１結合端子部１１０が低周波発生器１００の下面に一定の間隔で離隔して配置されるように、複数の第２結合端子部２２０も連結用シート部材２１０に一定の間隔で離隔して配置される。したがって、低周波発生器１００に伝導性パッド部２００の接触パッド２３０を一度で容易に結合することができる。
【００７９】
伝導性パッド部２００を低周波発生器１００から分離するためには、すべての第２結合端子部２２０を第１結合端子部１１０から一緒に分離しなければならないので、伝導性パッド部２００が低周波発生器１００に非常に堅固に結合された状態を維持することができる。
【００８０】
特に、複数の接触パッド２３０のうちのいずれかに力が加わっても、連結用シート部材２１０を介してすべての第２結合端子部２２０に力が分散されるので、力が加わる特定の接触パッド２３０が低周波発生器１００から単独で分離されず、伝導性パッド部２００全体が低周波発生器１００に堅固に結合された状態に維持される。
【００８１】
本実施形態に係る可変型低周波機器の第１結合端子部１１０と第２結合端子部２２０は、第１結合端子部１１０に挿入される磁石１１２によって磁力結合される。
【００８２】
第２結合端子部２２０は、磁化可能な金属で製作されるので、第１結合端子部１１０に接近させると、第１結合端子部１１０の内部に設けられる磁石１１２によって磁力結合が行われる。
【００８３】
第１結合端子部１１０は、第１磁力結合平面１１０ａと円形の挿入溝１１０ｂを含む構造であり、第２結合端子部２２０は、第１磁力結合平面１１０ａに磁力結合される第２磁力結合平面２２１ａと、挿入溝１１０ｂに挿入される円柱形の挿入突起２２１ｂとを含んでなる構造である。
【００８４】
したがって、第１結合端子部１１０に第２結合端子部２２０を接近させるだけで、挿入突起２２１ｂが挿入溝１１０ｂに挿入され、定位置に容易に結合できる。
【００８５】
挿入溝１１０ｂに挿入される挿入突起２２１ｂは、第１結合端子部１１０に第２結合端子部２２０が結合された状態で第１、第２磁力結合平面１１０ａ、２２１ａが互いに滑ることを防止することにより、結合された位置がずれないようにする。
【００８６】
つまり、身体に接触パッド２３０を付着させて使用する間、着用者が激しく動いても、伝導性パッド部２００が低周波発生器１００から容易に分離されない。
【００８７】
接触パッド２３０は、第２結合端子部２２０と一緒に連結用シート部材２１０に対して回転可能である。また、第２結合端子部２２０は、低周波発生器１００の第１結合端子部１１０に回転可能に結合される。よって、接触パッド２３０を第２結合端子部２２０と一緒に回転させて低周波発生器１００に対する姿勢を容易に変更することができる。
【００８８】
磁力結合される第１結合端子部１１０と第２結合端子部２２０は、接触した状態で回転しても、磁力による結合力が低下しないので、容易に分離されない。
【００８９】
また、連結用シート部材２１０は、複数の第２結合端子部２２０によって低周波発生器１００に対して固定された姿勢を維持するので、接触パッド２３０を回転させて姿勢を変更する間、第２結合端子部２２０が第１結合端子部１１０から容易に分離されない。
【００９０】
一方、２つの接触パッド２３０は、互いに離隔している状態で皮膚に接触しなければならないので、互いに干渉してはならない。本実施形態の接触パッド２３０は、先立って述べたように、一側が他側に比べて狭い幅を有する形状であるので、２つの接触パッド２３０をある程度回転させても、互いに干渉しなくなる。
【００９１】
接触パッド２３０を回転させて本実施形態に係る可変型低周波機器の形態を変形させると、関節のように身体が折れたり突出したりする部位に２つの接触パッド２３０を容易に付着させることができる。
【００９２】
特に、接触パッドが一直線状に固定されている従来の低周波機器を付着させ難い首、肩、手首、肘などの部位にも容易に使用することができるので、従来よりも使用可能な範囲が大きく拡大する。
【００９３】
したがって、従来の低周波機器で刺激し難い関節部位の腱、靭帯などを刺激して疼痛を緩和するために使用したり、特定の筋肉を強化するために使用したりするなど、汎用的な使用が可能である。
【００９４】
本実施形態では、一対の接触パッド２３０が設けられる形態を例示しているが、これは一例に過ぎない。実施形態に応じて、２対以上の接触パッド２３０が設けられる形態で実施されてもよい。
【００９５】
２対以上の接触パッド２３０が設けられる場合でも、すべての接触パッド２３０は、第２結合端子部２２０を介して連結用シート部材２１０に回動自在に結合されなければならない。
【００９６】
前述した本発明の説明は、例示のためのものであり、本発明の属する技術分野における通常の知識を有する者は、本発明の技術思想や必須の特徴を変更することなく、他の具体的な形態で容易に変形可能であることを理解することができるだろう。
【００９７】
したがって、上述した実施形態は、あらゆる面で例示的なものに過ぎず、限定的なものではないと理解されるべきである。例えば、単一型で説明されている各構成要素は、分散されて実施されてもよく、同様に分散されたものと説明されている構成要素も、結合された形態で実施されてもよい。
【００９８】
本発明の範囲は、上記の詳細な説明よりは、後述する特許請求の範囲によって示され、特許請求の範囲の意味及び範囲、そしてその均等概念から導き出されるすべての変更または変形形態が本発明の範囲に含まれるものと解釈されるべきである。
【産業上の利用可能性】
【００９９】
本発明は、人体に接触して使用する可変型低周波機器として利用可能である。
【図１】
2021517495.tif 000003
【図２】
2021517495.tif 000004
【図３】
2021517495.tif 000005
【図４】
2021517495.tif 000006
【図５】
2021517495.tif 000007
【図６】
2021517495.tif 000008
【図７】
2021517495.tif 000009
【図８】
2021517495.tif 000010
【図９】
2021517495.tif 000011
【図１０】
2021517495.tif 000012
【国際調査報告】
2021517495.tif 000013
2021517495.tif 000014
2021517495.tif 000015
2021517495.tif 000016